(57)【特許請求の範囲】
【請求項１】
下部に処理されるべき液状媒体が供給される供給口および水素ガス溶存液状媒体を排出させる排出口を有する密閉耐圧容器と、
前記密閉耐圧容器内に供給された前記液状媒体を撹拌するための撹拌手段と、
前記密閉耐圧容器底部に挿入された水素供給ノズルと、
前記水素供給ノズルに水素ガスを供給するための水素供給源と、
前記水素供給ノズルと前記水素供給源との間に介装され、水素ガスの供給流量を制御するための水素ガス流量制御手段と、
前記密閉耐圧容器の排出口に連結され、この密閉耐圧容器で生産された目的とする酸化・還元レンジを有する水素ガス溶存液状媒体を回収するための排出管と、
前記密閉耐圧容器近傍の前記排出管部分に設けられた圧力調整手段と、
前記圧力調整手段より下流側の前記排出管部分に配置され、この排出管を流通する水素ガス溶存液状媒体の酸化還元電位を計測するための計測手段と、
前記計測手段からの計測信号が入力され、その計測信号に基づいて前記水素ガス流量制御手段に流量制御信号を出力するための中央演算処理装置と
を具備し、
前記計測手段は、前記圧力調整手段より下流側の前記排出管部分に連結され、この排出管を流通する水素ガス溶存液状媒体の一部を連続的に採取するための採取管と、この採取管に連通された中空の酸化・還元電位セルと、このセルに接続され、このセル内の処理液を外部にオーバーフローさせるためのオーバーフロー管と、前記セル内に挿入され、前記採取管から導入された水素ガス溶存液状媒体の酸化・還元電位を計測するための白金電極および比較電極とを有することを特徴とするガス溶存液状媒体の生産システム。
【請求項２】
下部に処理されるべき液状媒体が供給される供給口および酸素ガス溶存液状媒体を排出させる排出口を有する密閉耐圧容器と、
前記密閉耐圧容器内に供給された前記液状媒体を撹拌するための撹拌手段と、
前記密閉耐圧容器底部に挿入された酸素供給ノズルと、
前記酸素供給ノズルに酸素ガスを供給するための酸素供給源と、
前記酸素供給ノズルと前記酸素供給源との間に介装され、酸素ガスの供給流量を制御するための酸素ガス流量制御手段と、
前記密閉耐圧容器の排出口に連結され、この密閉耐圧容器で生産された目的とする酸化・還元レンジを有する酸素ガス溶存液状媒体を回収するための排出管と、
前記密閉耐圧容器近傍の前記排出管部分に設けられた圧力調整手段と、
前記圧力調整手段より下流側の前記排出管部分に配置され、この排出管を流通する酸素ガス溶存液状媒体の酸化還元電位を計測するための計測手段と、
前記計測手段からの計測信号が入力され、その計測信号に基づいて前記酸素ガス流量制御手段に流量制御信号を出力するための中央演算処理装置と
を具備し、
前記計測手段は、前記圧力調整手段より下流側の前記排出管部分に連結され、この排出管を流通する酸素ガス溶存液状媒体の一部を連続的に採取するための採取管と、この採取管に連通された中空の酸化・還元電位セルと、このセルに接続され、このセル内の処理液を外部にオーバーフローさせるためのオーバーフロー管と、前記セル内に挿入され、前記採取管から導入された酸素ガス溶存液状媒体の酸化・還元電位を計測するための白金電極および比較電極とを有することを特徴とするガス溶存液状媒体の生産システム。
【請求項３】
下部に処理されるべき液状媒体が供給される供給口およびガス溶存液状媒体を排出させる排出口を有する密閉耐圧容器と、
前記密閉耐圧容器内に供給された前記液状媒体を撹拌するための撹拌手段と、
前記容器底部に挿入された水素供給ノズルおよび酸素供給ノズルと、
前記水素供給ノズルに水素ガスを供給するための水素供給源と、
前記酸素供給ノズルに酸素ガスを供給するための酸素供給源と、
前記水素供給ノズルと前記水素供給源との間に介装され、水素ガスの供給流量を制御するための水素ガス流量制御手段と、
前記酸素供給ノズルと前記酸素供給源との間に介装され、酸素ガスの供給流量を制御するための酸素ガス流量制御手段と、
前記密閉耐圧容器の排出口に連結され、この密閉耐圧容器で生産された目的とする酸化・還元レンジを有するガス溶存液状媒体を回収するための排出管と、
前記密閉耐圧容器近傍の前記排出管部分に設けられた圧力調整手段と、
前記圧力調整手段より下流側の前記排出管部分に配置され、この排出管を流通するガス溶存液状媒体の酸化還元電位を計測するための計測手段と、
前記計測手段からの計測信号が入力され、その計測信号に基づいて前記水素ガス流量制御手段または前記酸素ガス流量制御手段に流量制御信号を出力するための中央演算処理装置と
を具備し
前記計測手段は、前記圧力調整手段より下流側の前記排出管部分に連結され、この排出管を流通するガス溶存液状媒体の一部を連続的に採取するための採取管と、この採取管に連通された中空の酸化・還元電位セルと、このセルに接続され、このセル内の処理液を外部にオーバーフローさせるためのオーバーフロー管と、前記セル内に挿入され、前記採取管から導入されたガス溶存液状媒体の酸化・還元電位を計測するための白金電極および比較電極とを有することを特徴とするガス溶存液状媒体の生産システム。
【請求項４】
前記密閉耐圧容器は、個々のパーツに分解可能であることを特徴とする請求項１〜３いずれか記載のガス溶存液状媒体の生産システム。
【発明の詳細な説明】
【０００１】
【発明の属する技術分野】
本発明は、水素、酸素のようなガス溶存液状媒体の生産方法およびガス溶存液状媒体の生産システムに関する。
【０００２】
【従来の技術】
水の還元技術において、水に水素を溶解した水素還元水を利用して例えば加工食品の加工時の加熱に伴う食材の褐変や加工臭の発生を防止して高品質化することが考えられている。この水素還元水の応用は、加工食品の高品質化に止まらず、長期保存時の食品の腐敗防止を可能にし、さらにビール、酒、茶、果汁、その他の飲料等の変質防止に用いられるアスコルビン酸塩などの抗酸化剤の添加を省くことが可能になる。
【０００３】
また、生体の活性酸素は各種の病気の発生を助長することが知られており、前記水素還元水は生体生理学でも活性水素の利用の観点から注目されている。
【０００４】
さらに、前記水素還元水は食品以外の鉄鋼産業、コンクリート産業での鉄鋼、コンクリートの酸化防止に応用されている。
【０００５】
ところで、本発明者は回分式（バッチ式）で溶液を脱気した後にこの溶液に水素を飽和させ、溶液に還元性を与える「食品等の還元性水素水とその製造方法並びに製造装置」を発明し、出願して特開平８−５６６３２号公報として公開されている。
【０００６】
また、本発明者は分子レベルで水分子を個化させ、洗浄能力を高める技術で、用水を連続的に飽和水素水に変換する「洗濯水、風呂水等へ供給する飽和水素水大量連続供給装置」を発明し、出願して特開２０００−３５４６９６）として公開されている。
【０００７】
【発明が解決しようとする課題】
しかしながら、これらの発明はいずれも酸化・還元電位に着目して水素量を制御することは行われていなかった。
【０００８】
本発明は、例えば水のような液状媒体からｐＨのようなその液状媒体本来の性質を維持したまま、適切な酸化還元電位に高精度で制御されたガス溶存液状媒体を連続的かつ大量に生産することが可能なガス溶存液状媒体の生産方法およびガス溶存液状媒体の生産システムを提供しようとするものである。
【０００９】
【課題を解決するための手段】
本発明に係るガス溶存液状媒体の生産システムは、下部に処理されるべき液状媒体が供給される供給口および水素ガス溶存液状媒体を排出させる排出口を有する密閉耐圧容器と、
前記密閉耐圧容器内に供給された前記液状媒体を撹拌するための撹拌手段と、
前記密閉耐圧容器底部に挿入された水素供給ノズルと、
前記水素供給ノズルに水素ガスを供給するための水素供給源と、
前記水素供給ノズルと前記水素供給源との間に介装され、水素ガスの供給流量を制御するための水素ガス流量制御手段と、
前記密閉耐圧容器の排出口に連結され、この密閉耐圧容器で生産された目的とする酸化・還元レンジを有する水素ガス溶存液状媒体を回収するための排出管と、
前記密閉耐圧容器近傍の前記排出管部分に設けられた圧力調整手段と、
前記圧力調整手段より下流側の前記排出管部分に配置され、この排出管を流通する水素ガス溶存液状媒体の酸化還元電位を計測するための計測手段と、
前記計測手段からの計測信号が入力され、その計測信号に基づいて前記水素ガス流量制御手段に流量制御信号を出力するための中央演算処理装置と
を具備し、
前記計測手段は、前記圧力調整手段より下流側の前記排出管部分に連結され、この排出管を流通する水素ガス溶存液状媒体の一部を連続的に採取するための採取管と、この採取管に連通された中空の酸化・還元電位セルと、このセルに接続され、このセル内の処理液を外部にオーバーフローさせるためのオーバーフロー管と、前記セル内に挿入され、前記採取管から導入された水素ガス溶存液状媒体の酸化・還元電位を計測するための白金電極および比較電極とを有することを特徴とするものである。
【００１２】
本発明に係る別のガス溶存液状媒体の生産システムは、下部に処理されるべき液状媒体が供給される供給口および酸素ガス溶存液状媒体を排出させる排出口を有する密閉耐圧容器と、
前記密閉耐圧容器内に供給された前記液状媒体を撹拌するための撹拌手段と、
前記密閉耐圧容器底部に挿入された酸素供給ノズルと、
前記酸素供給ノズルに酸素ガスを供給するための酸素供給源と、
前記酸素供給ノズルと前記酸素供給源との間に介装され、酸素ガスの供給流量を制御するための酸素ガス流量制御手段と、
前記密閉耐圧容器の排出口に連結され、この密閉耐圧容器で生産された目的とする酸化・還元レンジを有する酸素ガス溶存液状媒体を回収するための排出管と、
前記密閉耐圧容器近傍の前記排出管部分に設けられた圧力調整手段と、
前記圧力調整手段より下流側の前記排出管部分に配置され、この排出管を流通する酸素ガス溶存液状媒体の酸化還元電位を計測するための計測手段と、
前記計測手段からの計測信号が入力され、その計測信号に基づいて前記酸素ガス流量制御手段に流量制御信号を出力するための中央演算処理装置と
を具備し、
前記計測手段は、前記圧力調整手段より下流側の前記排出管部分に連結され、この排出管を流通する酸素ガス溶存液状媒体の一部を連続的に採取するための採取管と、この採取管に連通された中空の酸化・還元電位セルと、このセルに接続され、このセル内の処理液を外部にオーバーフローさせるためのオーバーフロー管と、前記セル内に挿入され、前記採取管から導入された酸素ガス溶存液状媒体の酸化・還元電位を計測するための白金電極および比較電極とを有することを特徴とするものである。
【００１３】
本発明に係るさらに別のガス溶存液状媒体の生産システムは、下部に処理されるべき液状媒体が供給される供給口およびガス溶存液状媒体を排出させる排出口を有する密閉耐圧容器と、
前記密閉耐圧容器内に供給された前記液状媒体を撹拌するための撹拌手段と、
前記密閉耐圧容器底部に挿入された水素供給ノズルおよび酸素供給ノズルと、
前記水素供給ノズルに水素ガスを供給するための水素供給源と、
前記酸素供給ノズルに酸素ガスを供給するための酸素供給源と、
前記水素供給ノズルと前記水素供給源との間に介装され、水素ガスの供給流量を制御するための水素ガス流量制御手段と、
前記酸素供給ノズルと前記酸素供給源との間に介装され、酸素ガスの供給流量を制御するための酸素ガス流量制御手段と、
前記密閉耐圧容器の排出口に連結され、この密閉耐圧容器で生産された目的とする酸化・還元レンジを有するガス溶存液状媒体を回収するための排出管と、
前記密閉耐圧容器近傍の前記排出管部分に設けられた圧力調整手段と、
前記圧力調整手段より下流側の前記排出管部分に配置され、この排出管を流通するガス溶存液状媒体の酸化還元電位を計測するための計測手段と、
前記計測手段からの計測信号が入力され、その計測信号に基づいて前記水素ガス流量制御手段または前記酸素ガス流量制御手段に流量制御信号を出力するための中央演算処理装置と
を具備し
前記計測手段は、前記圧力調整手段より下流側の前記排出管部分に連結され、この排出管を流通するガス溶存液状媒体の一部を連続的に採取するための採取管と、この採取管に連通された中空の酸化・還元電位セルと、このセルに接続され、このセル内の処理液を外部にオーバーフローさせるためのオーバーフロー管と、前記セル内に挿入され、前記採取管から導入されたガス溶存液状媒体の酸化・還元電位を計測するための白金電極および比較電極とを有することを特徴とするものである。
【００１４】
【発明の実施の形態】
以下、本発明を図面を参照して詳細に説明する。
【００１５】
図１は、本発明に係るガス溶存液状媒体の生産システムを示す概略図、図２は図１の処理されるべき液状媒体への水素または酸素の溶解装置を示す概略図、図３は図２の溶解装置の分解図である。
【００１６】
ガス溶存液状媒体の生産システムは、処理されるべき液状媒体への水素および酸素の溶解装置１０と、ガス溶存液状媒体の酸化・還元電位計測装置４０と、中央演算制御器５０と、水素、酸素のガス供給装置６０とを備えている。
【００１７】
＜溶解装置１０＞
この溶解装置１０は、図２に示すように積載台１１上に設置された耐圧容器１２を有する。この積載台１１は、円盤部１３と、この円盤部１３を支持する例えば４つの脚部１４とを有する。前記円盤部１３は、その上面中心部に回転軸受１５が設けられ、かつその周縁に後述する耐圧容器本体を固定するための複数の締め付けボルト１６が取り付けられている。また、後述する耐圧ホースが接続される水素供給ノズル１７、酸素供給ノズル１８は、前記円盤部１３に前記回転軸受１５に対して対称的に貫通支持されている。
【００１８】
前記耐圧容器１２は、前記積載台１１上に設置される円筒状の容器本体１９と、この本体１９の上部に設けられた蓋体２０とから構成されている。この耐圧容器本体１９は、例えばスチール、ステンレススチール、ホーロー、セラミック、プラスチック等の加工が容易で内圧に対して十分な強度を有するものにより作られている。前記容器本体１９は、上下端にフランジ２１ａ、２１ｂを有する。前記容器本体１９は、その下部フランジ２１ｂを前記積載台１１の円盤部１３にパッキンを挟んで載置させ、前記締め付けボルト１６をこの下部フランジ２１ｂに係合することにより前記積載台１１の円盤部１３に対して液密に固定される。前記本体１９の上部フランジ２１aの周縁には、複数の締め付けボルト２２が取り付けられている。前記蓋体２０は、前記本体１９の上部フランジ２１aにパッキンを挟んで載置させ、前記締め付けボルト２２をこの蓋体２０周縁に係合することにより前記上部フランジ２１aに対して液密に固定される。
【００１９】
処理されるべき液状媒体の流入管部２３は、前記耐圧容器本体１９の下部側壁に連結され、その連結部には逆止弁２４が介在されている。ガス溶存液状媒体の排出管部２５は、前記耐圧容器本体１９の上部側壁に連結されている。
【００２０】
上下に撹拌羽根２６ａ，２６ｂが取り付けられた回転軸２７は、下端が前記積載台１１の円盤部１３上面中心部の回転軸受１５に回転可能に軸支されている。モータ２８は、前記蓋体２０に設置され、その駆動軸（図示せず）が前記回転軸２７に連結されている。前記耐圧容器１２の圧力を計測するための圧力計２９は、前記蓋体２０上に設置されている。
【００２１】
処理されるべき液状媒体の吸入管３０は、前記耐圧容器１２の流入管部２３にコネクタ３１を介して連結されている。水流ポンプ３２は、前記吸入管３０に介装されている。
【００２２】
排出管３３は、前記耐圧容器１２の排出管部２５にコネクタ３４を介して連結され、そのコネクタ３４近傍にエルボ部３５を有する。圧力調整弁３６は、前記排出管３３のエルボ部３５に設けられている。流量計３７は、前記排出管３３の前記圧力調整弁３６より下流側に介装されている。なお、前記圧力調整弁３６と前記流量計３７の間に位置する前記排出管３３には、後述する酸化・還元電位セルが取り付けられている。
【００２３】
前述した溶解装置１０は、図３に示すように各パーツに分解可能な構造になっている。すなわち、図３の（ｃ）に示す積載台１１と、図３の（ｂ）に示すそれぞれコネクタ３１，３４が取着された流入管部２３および排出管部２５を有する耐圧容器本体１９と、図３の（ａ）に示すモータ２８および圧力計２９が設置された蓋体２０と、図３の（ｄ）に示す撹拌羽根２６ａ，２６ｂが取り付けられた回転軸２７と、図３の（ｅ）に示すコネクタ３１が取着され、水流ポンプ３２が介装された吸入管３０と、図３の（ｆ）に示すコネクタ３４が取着され、圧力調整弁３６および流量計３７が介装された排出管３３とに分割可能な構造になっている。
【００２４】
＜ガス溶存液状媒体の酸化・還元電位計測装置４０＞
このガス溶存液状媒体の酸化・還元電位計測装置４０は、前記加圧調整弁３６と前記流量計３７の間に位置する前記排出管３３に取り付けられた中空の酸化・還元電位（Ｅｈ）セル４１を備えている。前記排出管３３から排出された処理液を前記Ｅｈセル４１内に取り込むための採取管４２は、前記セル４１下部に連結され、かつその他端は前記排出管３３内に挿入されている。前記Ｅｈセル４１内の処理液を外部にオーバーフローさせるためのオーバーフロー管４３は、前記セル４１上部に連結されている。前記セル４１内の処理液のＥｈを連続的に計測するための白金電極４４および比較電極４５は、外部から前記セル４１内にそれぞれ所望の距離を開けて挿入されている。これらの白金電極４４および比較電極４５は、ケーブル４６，４７を通して酸化・還元電位計測（Ｅｈ）メータ４８にそれぞれ接続されている。
【００２５】
なお、酸化・還元電位計測装置において白金電極および比較電極を１つのチューブ内に挿入し、このチューブを前記セル内に挿入した形態であってもよい。
【００２６】
＜中央演算処理装置５０＞
この中央演算処理装置５０は、前記Ｅｈメータ４８の出力端子にケーブル５１を通して接続されている。この中央演算処理装置５０には、予めガス溶存液状媒体の種類に応じた適正な酸化・還元電位（Ｅｈ）レンジが設定される水素ガス溶存液状媒体用の比較回路、酸素ガス溶存液状媒体用の比較回路、等を備えている。前記Ｅｈメータ４７からＥｈ測定信号（電流値）が前記中央演算処理装置５０に入力されると、そのＥｈ測定信号はいずれかの比較回路で予め設定されたＥｈレンジと比較される。例えば水素ガス溶存液状媒体を生産する場合、そのＥｈ測定値が設定されたＥｈレンジより低いと、この中央演算処理装置５０から後述する水素流量制御器に流量制御信号が出力されて、水素流量制御器による水素ガス供給量を減少させるようにフィードバック制御がなされる。一方、Ｅｈ測定値が設定されたＥｈレンジより高いと、この中央演算処理装置５０から水素流量制御器に流量制御信号が出力されて、水素流量制御器による水素ガス供給量を増加させるようにフィードバック制御がなされる。
【００２７】
なお、中央演算処理装置５０に搭載される比較回路は１つであってもよい。この場合、前記比較回路へのＥｈレンジの設定に基いて、つまり酸素溶存液状媒体ではプラスのＥｈレンジ、水素酸素溶存液状媒体ではマイナスのＥｈレンジに基いて、その中央演算処理装置５０による流量制御信号の出力対象である水素流量制御器、酸素流量制御器を自動的に切り替えてもよい。
【００２８】
＜水素、酸素のガス供給装置６０＞
この水素、酸素のガス供給装置６０は、水素ガス供給手段である水素ボンベ６１を具備している。この水素ボンベ６１は、耐圧ホース６２を通して前記溶解装置１０の水素供給ノズル１７に連結されている。水素ガス流量制御器６３および水素ガス流量計６４は、前記耐圧ホース６２に前記水素ボンベ６１側から順次介装さえている。前記水素ガス流量制御器６３は、前記中央演算処理装置５０にケーブル６５を通して接続され、この中央演算処理装置５０の流量制御信号がケーブル６５を通して入力される。
【００２９】
なお、水素ガス供給手段は水素ボンベの他に、例えば発生期の水素を生成する水の電解槽を用いることができる。
【００３０】
前記ガス供給装置６０は、酸素ガス供給手段である酸素ボンベ６６を具備している。この酸素ボンベ６６は、耐圧ホース６７を通して前記溶解装置１０の酸素供給ノズル１８に連結されている。酸素ガス流量制御器６８および酸素ガス流量計６９は、前記耐圧ホース６７に前記酸素ボンベ６６側から順次介装さえている。前記酸素ガス流量制御器６８は、前記中央演算処理装置５０にケーブル７０を通して接続され、この中央演算処理装置５０の流量制御信号がケーブル７０を通して入力される。
【００３１】
なお、酸素ガス供給手段は酸素ボンベの他に、例えば発生期の酸素を生成する水の電解槽を用いることができる。
【００３２】
次に、前述した図１〜図３に示すガス溶存液状媒体の生産システムを用いてガス溶存液状媒体、具体的には１）水素ガス溶存液状媒体、２）酸素ガス溶存液状媒体の生産方法を説明する。
【００３３】
１）水素ガス溶存液状媒体の生産方法
まず、水流ポンプ３２を作動して処理されるべき液状媒体を吸入管３０および流入管部２３を通して圧力容器１２の容器本体１９内に送り込み、排出管３３を通して排出する。このとき、前記容器本体１９近傍の前記排出管３３に設けた圧力調整弁３６により排出管３３を流通する液状媒体の流量を絞ることにより前記圧力容器１２内の液状媒体を加圧する。なお、このような液状媒体の加圧において、前記流入管部２３には逆止弁２４が介在されているため、前記液状媒体が吸入管３０側に逆流するのを防止される。
【００３４】
次いで、前記圧力容器１２の蓋体２０に設置した圧力計２９で計測される圧力が目的とする圧力に安定した後、水素ボンベ６０のバルブを開き、水素ガス流量計６４の流量を見ながら、水素ガス流量制御器６３で生産する水素ガス溶存液状媒体に見合った水素ガスの流量に調節し、この水素ガスを耐圧ホース６２を通して水素供給ノズル１７に供給し、このノズル１７から水素ガスを前記圧力容器１２内の液状媒体に噴射する。液状媒体に噴射された水素ガスは、その液状媒体が加圧されているため、微細な気泡になって、その液状媒体中を上昇する。この操作と同時または前後にモータ２８を駆動して回転軸２７を回転させ、撹拌羽根２６ａ，２６ｂにより前記圧力容器１２内の液状媒体を撹拌する。このような液状媒体の加圧、撹拌により、前記水素ガスの気泡は高速細断されてさらに微細化されるとともに、四方に拡散され、液状媒体との接触機会が増大される。このため、水素ガスを液状媒体中に効率よく溶存させることができる。
【００３５】
水素ガス溶存液状媒体は、前記圧力容器１２の上部から排出管３３を通して排出されて回収される。このとき、前記排出管３３を流通する水素ガス溶存液状媒体の一部は、採取管４２を通して中空の酸化・還元電位（Ｅｈ）セル４１に連続的に採取され、オーバーフロー管４３からオーバーフローされる。この間、前記Ｅｈセル４１において白金電極４４と比較電極４５による水素ガス溶存液状媒体の電位差（Ｅｈ）をこれら電極４４，４５にケーブル４６，４７を通して接続された酸化・還元電位計測（Ｅｈ）メータ４８により連続的に計測する。
【００３６】
次いで、前記Ｅｈメータ４８からＥｈ測定信号（電流値）をケーブル５１を通して中央演算処理装置５０に出力する。この中央演算処理装置５０の比較回路において、入力されたＥｈ測定値と予め設定されたＥｈレンジ（マイナスのＥｈレンジ）と比較される。前記Ｅｈ測定値が設定されたＥｈレンジより低くなる（よりマイナス側になる）と、前記中央演算処理装置５０から水素流量制御器６３にケーブル６５を通して流量制御信号が出力されて、前記水素流量制御器６３の開度を下げるようにフィードバック制御がなされる。これにより、前記水素供給ノズル１７から加圧された液状媒体に噴射される水素ガス量が減少される。一方、Ｅｈ測定値が設定されたＥｈレンジより高いと、前記中央演算処理装置５０から水素流量制御器６３にケーブル６５を通して流量制御信号が出力されて、水素流量制御器６３の開度を上げるようにフィードバック制御がなされる。これにより、前記水素供給ノズル１７から加圧された液状媒体に噴射される水素ガス量が増大される。
【００３７】
このような方法により目的とする酸化・還元電位のレンジを有する水素ガス溶存液状媒体（還元性の液状媒体）を排出管３３を通して回収、生産される。
【００３８】
前記耐圧容器に送り込まれる液状媒体としては、例えば家庭用水、廃水処理用水、工業用水、医薬用水、純水、超純水などの各種の水、ビール、酒、茶、果汁などの飲料物等を挙げることができる。
【００３９】
前記耐圧容器での前記液状媒体に加える圧力は、その液状媒体の種類により適宜選定すればよい。ただし、前記液状媒体は大気圧の容器内に送り込んで、水素ガスをこの液状媒体に噴射し、水素ガスを溶存させてもよい。
【００４０】
２）酸素ガス溶存液状媒体の生産方法
まず、水流ポンプ３２を作動して処理されるべき液状媒体を吸入管３０および流入管部２３を通して圧力容器１２の容器本体１９内に送り込み、排出管３３を通して排出する。このとき、前記容器本体１９近傍の前記排出管３３に設けた圧力調整弁３６により排出管３３を流通する液状媒体の流量を絞ることにより前記圧力容器１２内の液状媒体を加圧する。なお、このような液状媒体の加圧において、前記流入管部２３には逆止弁２４が介在されているため、前記液状媒体が吸入管３０側に逆流するのを防止される。
【００４１】
次いで、前記圧力容器１２の蓋体２０に設置した圧力計２９で計測される圧力が目的とする圧力に安定した後、酸素ボンベ６６のバルブを開き、酸素ガス流量計６９の流量を見ながら、酸素ガス流量制御器６３で生産する酸素ガス溶存液状媒体に見合った酸素ガスの流量に調節し、この酸素ガスを耐圧ホース６７を通して酸素供給ノズル１８に供給し、このノズル１８から酸素ガスを前記圧力容器１２内の液状媒体に噴射する。液状媒体に噴射された酸素ガスは、その液状媒体が加圧されているため、微細な気泡になって、その液状媒体中を上昇する。この操作と同時または前後にモータ２８を駆動して回転軸２７を回転させ、撹拌羽根２６ａ，２６ｂにより前記圧力容器１２内の液状媒体を撹拌する。このような液状媒体の加圧、撹拌により、前記酸素ガスの気泡は高速細断されてさらに微細化されるとともに、四方に拡散され、液状媒体との接触機会が増大される。このため、酸素ガスを液状媒体中に効率よく溶存させることができる。なお、このとき酸素ガスの一部は微細気泡として液状媒体中に残留する。
【００４２】
酸素ガス溶存液状媒体は、前記圧力容器１２の上部から排出管３３を通して排出されて回収される。このとき、前記排出管３３を流通する酸素ガス溶存液状媒体の一部は、採取管４２を通して中空の酸化・還元電位（Ｅｈ）セル４１に連続的に採取され、オーバーフロー管４３からオーバーフローされる。この間、前記Ｅｈセル４１において白金電極４４と比較電極４５による酸素ガス溶存液状媒体の電位差（Ｅｈ）をこれら電極４４，４５にケーブル４６，４７を通して接続された酸化・還元電位計測（Ｅｈ）メータ４８により連続的に計測する。
【００４３】
次いで、前記Ｅｈメータ４８からＥｈ測定信号（電流値）をケーブル５１を通して中央演算処理装置５０に出力する。この中央演算処理装置５０の比較回路において、入力されたＥｈ測定値と予め設定されたＥｈレンジ（プラスのＥｈレンジ）と比較される。前記Ｅｈ測定値が設定されたＥｈレンジより低くなると、前記中央演算処理装置５０から酸素流量制御器６８にケーブル７０を通して流量制御信号が出力されて、前記酸素流量制御器６８の開度を上げるようにフィードバック制御がなされる。これにより、前記酸素供給ノズル１８から加圧された液状媒体に噴射される酸素ガス量が増大される。一方、Ｅｈ測定値が設定されたＥｈレンジより高いと、前記中央演算処理装置５０から酸素流量制御器６８にケーブル７０を通して流量制御信号が出力されて、酸素流量制御器６８の開度を下げるようにフィードバック制御がなされる。これにより、前記酸素供給ノズル１８から加圧された液状媒体に噴射される酸素ガス量が減少大される。
【００４４】
このような方法により目的とする酸化・還元電位のレンジを有する酸素ガス溶存液状媒体（酸化性の液状媒体）を排気管３３を通して回収、生産される。
【００４５】
前記耐圧容器に送り込まれる液状媒体としては、例えば廃水処理用水、医薬用水、海、湖沼の清浄化用の海水、淡水、純水、超純水等を挙げることができる。
【００４６】
前記耐圧容器での前記液状媒体に加える圧力は、その液状媒体の種類により適宜選定すればよい。ただし、前記液状媒体は大気圧の容器内に送り込んで、酸素ガスをこの液状媒体に噴射し、酸素ガスを溶存させてもよい。
【００４７】
以上説明したように本発明に係るガス溶存液状媒体の生産方法および生産システムよれば、目的とする酸化・還元電位のレンジに高精度で制御されたガス溶存液状媒体（還元性または酸化性の液状媒体）を連続的かつ大量に得ることができる。
【００４８】
得られた還元性の液状媒体の酸化・還元電位（Ｅｈ）は、水素ガス供給手段として水素ボンベを用いた場合、−３００ｍＶまでの還元条件にすることが可能である。ただし、水素ガス供給手段として発生期の水素を生成する水の電解槽を用いた場合、還元性の液状媒体のＥｈを−６００ｍＶまでの還元条件にすることが可能である。
【００４９】
また、得られた酸化性の液状媒体の酸化・還元電位（Ｅｈ）は、酸素ガス供給手段として酸素ボンベを用いた場合、１２０ｍＶまでの酸化条件にすることが可能である。ただし、酸素ガス供給手段として発生期の酸素を生成する水の電解槽を用いた場合、酸化性の液状媒体のＥｈを２４０ｍＶまでの酸化条件にすることが可能である。
【００５０】
得られたガス溶存液状媒体（還元性または酸化性の液状媒体）は、例えば以下に説明する種々の効果を奏する。
【００５１】
（１）水素ガス溶存液状媒体；還元性の液状媒体
ａ．還元性水を用いて加工食品を製造することによって、その高品質化に止まらず、長期保存時の食品の腐敗を防止できる。
【００５２】
ｂ．ビール、酒、茶、果汁などの飲料物を前述した方法により処理することによって生産した還元性飲料物は、アスコルビン酸塩のような抗酸化剤の添加せずに、変質を防止できるため、味覚等を向上できる。
【００５３】
ｃ．還元性水を鉄の鋳造、鍛造等の各種工程後における洗浄に適用することによって、その鋳造品、鍛造品等の鉄鋼製品の酸化を抑制することが可能になる。
【００５４】
ｄ．還元性水を用いて生コンクリートを調製することによって、この生コンクリートを鉄筋に打設後においてその鉄筋が酸化、腐食するのを防止できる
（２）酸素ガス溶存液状媒体；酸化性の液状媒体
ａ．酸化性水を食品の殺菌に適用できる。
【００５５】
ｂ．海の海水、湖沼の淡水を液状媒体として本発明の生産システムで処理し、この酸化性海水（または酸化性淡水）を富養化した海水（または湖沼）に大量に供給することによって、魚介類の生育環境を改善できる。
【００５６】
また、耐圧容器１２の排出管３３に圧力調整弁３６を設け、前記耐圧容器１２に送出した液状媒体を加圧することによって、水素ガスまたは酸素ガスの前記液状媒体への溶存速度の向上、溶存量の増大を図ることができる。
【００５７】
さらに、前記溶解装置１０を図３に示すように各パーツに分解可能な構造にすれば、各パーツの洗浄を容易に行うことができる。
【００５８】
なお、前述したガス溶存液状媒体の生産システムは水素ガスの供給系統と酸素ガスの供給系統の両者を備えた構成にしたが、いずれか一方の供給系統を備える構成にしてもよい。
【００５９】
【実施例】
以下、本発明の好ましい実施例を説明する。
【００６０】
（実施例１）
前述した図１〜図３に示すガス溶存液状媒体の生産システムを用い、下記条件で取り出した地下水への水素溶存を実施した。
【００６１】
＜操作条件＞
・圧力容器１２の容積；２０００ｃｍ3、
・圧力容器１２への地下水の流量；１Ｌ／分、
・圧力容器１２内の圧力；０．５ｋｇ／ｃｍ2、
・圧力容器１２内の水への噴射水素ガス量；５０ｍＬ／分（定常時）、
・中央演算処理装置５０の設定酸化・還元電位（Ｅｈ）レンジ；−２００〜−３００ｍＶ。
【００６２】
排出管から排出、回収された水素ガス溶存水（還元水）について１０分毎に合計３回のＥｈおよびｐＨを測定し、それらＥｈおよびｐＨのレンジを下記表１に示す。
【００６３】
【表１】
0003829170.tif 000002
【００６４】
前記表１から明らかなように実施例１により得られた還元水は、Ｅｈが水素ガス無通気の地下水（比較例１）に比べて大きく低下し、かつｐＨが比較例１の水素ガス無通気の地下水に比べて殆ど変化していないことがわかる。
【００６５】
（実施例２）
前述した図１〜図３に示すガス溶存液状媒体の生産システムを用い、下記条件でトマト果実をミキサで処理した生ジュースへの水素溶存を実施した。
【００６６】
＜操作条件＞
・圧力容器１２の容積；２０００ｃｍ3、
・圧力容器１２への生ジュースの流量；０．５Ｌ／分、
・圧力容器１２内の圧力；０．５ｋｇ／ｃｍ2、
・圧力容器１２内の生ジュースへの噴射水素ガス量；６０ｍＬ／分（定常時）、
・中央演算処理装置５０の設定酸化・還元電位（Ｅｈ）レンジ；−１０〜−１００ｍＶ。
【００６７】
排出管から排出、回収された水素ガス生ジュース（還元性生ジュース）について２０分毎に合計３回のＥｈおよびｐＨを測定し、それらＥｈおよびｐＨのレンジを下記表２に示す。
【００６８】
【表２】
0003829170.tif 000003
【００６９】
前記表２から明らかなように実施例２により得られた還元性生ジュースは、Ｅｈが水素ガス無通気の生ジュース（比較例２）に比べて大きく低下し、かつｐＨが比較例２の水素ガス無通気の生ジュースに比べて殆ど変化していないことがわかる。
【００７０】
（実施例３）
前述した図１〜図３に示すガス溶存液状媒体の生産システムを用い、下記条件でみかん果実をミキサで処理し、加熱した生ジュース（温度８０℃）への水素溶存を実施した。
【００７１】
＜操作条件＞
・圧力容器１２の容積；２０００ｃｍ3、
・圧力容器１２への加熱生ジュースの流量；０．５Ｌ／分、
・圧力容器１２内の圧力；０．５ｋｇ／ｃｍ2、
・圧力容器１２の加熱生ジュースへの噴射水素ガス量；６０ｍＬ／分（定常時）、
・中央演算処理装置５０の設定酸化・還元電位（Ｅｈ）レンジ；−１０〜−１００ｍＶ。
【００７２】
排出管から排出、回収された水素ガス生ジュース（還元性生ジュース）について３０分毎に合計３回のＥｈおよびｐＨを測定し、それらＥｈおよびｐＨのレンジを下記表３に示す。
【００７３】
【表３】
0003829170.tif 000004
【００７４】
前記表３から明らかなように実施例３により得られた還元性生ジュースは、Ｅｈが水素ガス無通気の生ジュース（比較例３）に比べて大きく低下し、かつｐＨが比較例２の水素ガス無通気の生ジュースに比べて殆ど変化していないことがわかる。
【００７５】
（実施例４）
前述した図１〜図３に示すガス溶存液状媒体の生産システムを用い、下記条件で玄海灘から取り込んだ海水への酸素溶存を実施した。
【００７６】
＜操作条件＞
・圧力容器１２の容積；２０００ｃｍ3、
・圧力容器１２への海水の流量；１Ｌ／分、
・圧力容器１２内の圧力；０．５ｋｇ／ｃｍ2、
・圧力容器１２内の海水への噴射酸素ガス量；５０ｍＬ／分（定常時）
・中央演算処理装置５０の設定酸化・還元電位（Ｅｈ）レンジ；７００〜９００ｍＶ。
【００７７】
排出管から排出、回収された酸素ガス溶存海水（酸化性海水）について１０分毎に合計３回のＥｈおよびｐＨを測定し、それらＥｈおよびｐＨのレンジを下記表４に示す。
【００７８】
【表４】
0003829170.tif 000005
【００７９】
前記表４から明らかなように実施例４により得られた酸化性海水は、Ｅｈが酸素ガス無通気の海水（比較例４）に比べて大きく増大し、かつｐＨが比較例４の水素ガス無通気の海水に比べて殆ど変化していないことがわかる。
【００８０】
【発明の効果】
以上詳述したように本発明によれば、例えば水のような液状媒体からｐＨのようなその液状媒体本来の性質を維持したまま、適切な酸化還元電位に高精度で制御されたガス溶存液状媒体を連続的かつ大量に生産することができ、可能なガス溶存液状媒体の生産方法およびガス溶存液状媒体の生産システムを提供できる。
【００８１】
このようなガス溶存液状媒体は、例えば脂質の保蔵、加工の適正Ｅｈの設定、加工品の保蔵に関する適正Ｅｈの設定等、広範な応用範囲を広げると共に人の健康に関しても、老化防止や健康増進等マイルドな作用をも創出するものである。
【００８２】
また前記ガス溶存液状媒体は、食品・酒・ビール・飲料・医薬品・化粧品・発酵醸造の製造方法の改善と高品質化に利用できる。
【００８３】
さらに前記ガス溶存液状媒体は、環境浄化、鉄鋼金属の腐食防止、生体の健康維持増進、美容、医療、その他寿命延長等ライフサイエンスに利用できる。
【図面の簡単な説明】
【図１】本発明に係るガス溶存液状媒体の生産システムを示す概略図。
【図２】図１の処理されるべき液状媒体への水素または酸素の溶解装置を示す概略図。
【図３】図２の溶解装置の分解図。
【符号の説明】
１０…溶解装置、
１１…積載台、
１２…耐圧容器、
１７…水素供給ノズル、
１８…酸素供給ノズル、
１９…耐圧容器本体，
２０…蓋体、
２６ａ、２６ｂ…撹拌羽根，
２９…圧力計、
３０…吸入管、
３３…排出管、
３６…圧力調整弁、
３７…流量計、
４０…ガス溶存液状媒体の酸化・還元電位計測装置、
４１…酸化・還元電位（Ｅｈ）セル、
４４…白金電極、
４５…比較電極、
４８…酸化・還元電位計測（Ｅｈ）メータ、
５０…中央演算制御器、
６０…水素、酸素のガス供給装置、
６１…水素ボンベ、
６３…水素ガス流量制御器、
６６…酸素ボンベ、
６８…酸素ガス流量制御器。
【図１】
0003829170.tif 000006
【図２】
0003829170.tif 000007
【図３】
0003829170.tif 000008